(57)【特許請求の範囲】
【請求項１】
前方に開口部を有する食器洗浄機本体と、前記開口部から略水平方向に引き出し可能に支持された食器を収納する洗浄槽と、前記洗浄槽内に回転自在に取り付けた洗浄ノズルと、前記洗浄槽の開口部を閉塞する蓋体とを備え、前記食器洗浄機本体は略Ｕ字形状の外箱と前面上部の梁と後面上部の梁とで略直方体状に形成し、前記外箱のコーナー部に略三角形状または略Ｌ字状の補強部を設けるとともに、前記外箱の側面に、略鉛直方向に略長方形状の凸部を設け、前記外箱の側面に固定したレールを介して前記洗浄槽を支持した食器洗浄機。
【発明の詳細な説明】
【０００１】
【発明の属する技術分野】
本発明は、洗浄槽内に食器を収納し、この食器の洗浄、すすぎ、乾燥を行う食器洗浄機に関する。
【０００２】
【従来の技術】
従来、この種の食器洗浄機は図７および図８に示すように構成していた。以下、その構成について説明する。
【０００３】
図７に示すように、食器洗浄機本体１は、前方に開口部を有するとともに、レール２を介して洗浄槽３を前後方向に移動可能に支持している。洗浄槽３は、上方に開口部を有し、洗浄槽３の前方に扉４を取り付けており、食器洗浄機本体１の開口部を開閉する。食器洗浄機本体１の上方に複数のリンク５を介して蓋体６を取り付け、この蓋体６は弾性体７によって食器洗浄機本体１と連結されている。
【０００４】
洗浄槽３内に食器８を配置する食器かご９を収容している。また、洗浄槽３内には、洗浄槽３内の洗浄水を加熱する加熱手段としてヒータ１０を設け、洗浄槽３の下面に洗浄ポンプ１１を設け、洗浄ノズル１２より洗浄水を噴射して食器かご９に配置した食器８を洗浄するように構成している。
【０００５】
給水弁１３は水道水を洗浄槽３に給水するものである。洗浄槽３内の洗浄水は排水ポンプ（図示せず）により排水する。温度センサ１４はサーミスタで構成し、洗浄槽３の下面に取り付けて制御装置１５に入力し、洗浄槽３内の洗浄水の温度を検知して制御装置１５により洗浄水の温度を制御するとともに、乾燥行程での温度制御をするようにしている。乾燥行程では、送風ファン（図示せず）を運転し、洗浄槽３内の食器８を乾燥させる。
【０００６】
食器洗浄機本体１は、図８に示すように、両側面と天面を覆う逆Ｕ字形状の外箱１６と、食器洗浄機本体１の底面部を構成する底板１７とで構成している。
【０００７】
上記構成において動作を説明すると、利用者が扉４を前方に開け、洗浄槽３を引き出して、食器８を食器かご９に配置し、洗浄槽３に収容して洗剤を入れた後、洗浄槽３を食器洗浄機本体１内に収容すると、洗浄槽３の上方の開口部は蓋体６により閉塞される。その後、運転を開始すると、制御装置１５により、ヒータ１０、洗浄ポンプ１１、給水弁１３、送風ファン、排水ポンプなどの運転を制御し、食器かご９に配置した食器８を洗浄、すすぎ、乾燥する。
【０００８】
【発明が解決しようとする課題】
このような従来の構成では、運送時に落下衝撃などの大きな衝撃が加わると、外箱１６が外側に凸状に変形する場合があり、このときには、レール２の動きが悪くなり、洗浄槽３を引き出したり、押し込むとき重くなる。そのため、食器洗浄機本体１を構成するＵ字形状の外箱１６を加工するとき、または運送時に外側に凸状に変形しないように、頑強なものにする必要がある。
【０００９】
また、洗浄槽３を食器洗浄機本体１から前方方向に引き出す形態の食器洗浄機では、洗浄槽３の開口部を覆う蓋体６を食器洗浄機本体１を構成する外箱１６に収納しており、この場合には、外箱１６と底板１７とで食器洗浄機本体１の剛性を確保する必要がある。
【００１０】
そのため、外箱１６を板金部品で構成する場合、板厚の厚い部材で構成し、剛性を確保していた。このため、コスト面で高価になり、また、重量が重くなり、運送、施工性の悪いものとなっていた。
【００１１】
本発明は上記課題を解決するもので、食器洗浄機本体を構成する外箱の剛性を向上して運送時の信頼性を向上し、かつ、外箱の板厚を薄くして軽量化を図り、コストを低減するとともに施工時の設置性を向上することを目的としている。
【００１２】
【課題を解決するための手段】
本発明は上記目的を達成するために、前方に開口部を有する食器洗浄機本体と、前記開口部から略水平方向に引き出し可能に支持された食器を収納する洗浄槽と、前記洗浄槽内に回転自在に取り付けた洗浄ノズルと、前記洗浄槽の開口部を閉塞する蓋体とを備え、前記食器洗浄機本体は略Ｕ字形状の外箱と前面上部の梁と後面上部の梁とで略直方体状に形成し、前記外箱のコーナー部に略三角形状または略Ｌ字状の補強部を設けるとともに、前記外箱の側面に、略鉛直方向に略長方形状の凸部を設け、前記外箱の側面に固定したレールを介して前記洗浄槽を支持したものである。
【００１３】
これにより、食器洗浄機本体を構成する外箱の剛性を向上できて運送時の信頼性を向上することができ、かつ、外箱の板厚を薄くできて軽量化することができ、コストを低減できるとともに施工時の設置性を向上することができる。
【００１４】
【発明の実施の形態】
本発明の請求項１に記載の発明は、前方に開口部を有する食器洗浄機本体と、前記開口部から略水平方向に引き出し可能に支持された食器を収納する洗浄槽と、前記洗浄槽内に回転自在に取り付けた洗浄ノズルと、前記洗浄槽の開口部を閉塞する蓋体とを備え、前記食器洗浄機本体は略Ｕ字形状の外箱と前面上部の梁と後面上部の梁とで略直方体状に形成し、前記外箱のコーナー部に略三角形状または略Ｌ字状の補強部を設けるとともに、前記外箱の側面に、略鉛直方向に略長方形状の凸部を設け、前記外箱の側面に固定したレールを介して前記洗浄槽を支持したものであり、食器洗浄機本体を構成する外箱の剛性を向上することができて、運送時に落下衝撃などの大きな衝撃が加わった場合でも外箱の側面が略鉛直方向に湾曲するのを防止でき、信頼性を向上することができ、かつ、外箱の板厚を薄くできて軽量化することができ、コストを低減できるとともに施工時の設置性を向上することができる。
【００１５】
また、略長方形状の凸部により食器洗浄機本体を構成する外箱の剛性を向上することができて、外箱の剛性を確保するための部品点数を削減できてコストを低減できるとともに、施工時の設置性を向上することができる。
【００１６】
また、略三角形状または略Ｌ字状の補強部により食器洗浄機本体を構成する外箱の剛性を向上することができて、外箱の内側への出っ張りがなく、外箱内に構成される洗浄槽の有効面積を大きくとることができる。
【００１７】
また、洗浄槽を引き出す仕様の食器洗浄機では、洗浄槽が重たく、引き出す場合のレールを固定する部位には大きな負荷がかかる。食器洗浄機本体を支える略Ｕ字状の外箱の側面に凸形状を設けたり、コーナー部に略三角形状の部材を取り付けたり、略鉛直方向に補強部材を取り付けることにより、剛性を高くすることができて、レールを保持することができ、レールを保持するための部品を必要とせず、コストを低減することができる。
【００１８】
【実施例】
以下、本発明の実施例について、図面を参照しながら説明する。なお、従来例と同じ構成のものは同一符号を付して説明を省略する。
【００１９】
（実施例１）
図１および図２に示すように、食器洗浄機本体１８は、前方に開口部を有するとともに、レール１９を介して洗浄槽２０を略水平方向に移動可能に支持している。レール１９は洗浄槽２０に固定したレール１９ａと外箱に固定したレール１９ｂとで構成しており、このレール１９ａ、１９ｂがかみ合うことにより略水平方向に移動可能にしている。この食器洗浄機本体１８は略Ｕ字形状の外箱２１と前面上部の梁２２と後面上部の梁２３とで略直方体状に形成し、外箱２１の天面は開口している。
【００２０】
また、レール１９ｂは外箱２１の側面に直接固定し、外箱２１の側面に、内面方向への凸となるよう略長方形状の段押し部（凸部）２４を略鉛直方向に設け、略鉛直方向に湾曲するのを防止するよう剛性を高くしている。図２では、外箱２１に段押し部２４を３箇所設けているが、１箇所以上設ければ同じ効果が得られることは明らかである。洗浄槽２０の天面は開口しており、開口部を閉塞する蓋体２５を設けている。他の構成は従来例と同じである。
【００２１】
上記構成において動作を説明すると、利用者が扉４を前方に開け、洗浄槽２０を引き出して食器８を食器かご９に配置し、洗浄槽２０に収容して洗剤を入れた後、洗浄槽２０を食器洗浄機本体１８内に収容すると、洗浄槽２０の上方の開口部を蓋体２５により閉塞する。その後、運転を開始すると、制御装置１５により、ヒータ１０、洗浄ポンプ１１、給水弁１３、送風ファン（図示せず）、排水ポンプ（図示せず）などの運転を制御し、食器かご９に収納した食器８を洗浄、すすぎ、乾燥する。
【００２２】
ここで、食器洗浄機本体１８を構成する外箱２１は略Ｕ字状に構成しているため、底部も一体に構成できて、食器洗浄機本体１８の剛性を向上することができる。さらに、外箱２１の側面に凸状の段押し部２４を設けているため、外箱２１の板厚を薄くすることができる。
【００２３】
食器洗浄機本体１８を梱包して運送する場合、荷扱いが悪いと、食器洗浄機本体１８を構成する外箱２１が外側に略鉛直方向に湾曲し変形する場合がある。このように外箱２１が変形すると、外箱１８に固定したレール１９ｂが外側に移動して左右のレール間の寸法が大きくなる。このため、洗浄槽２０に固定したレール１９ａが外側に引っ張られた状態になり、レール１９の操作性が悪くなる場合がある。
【００２４】
ここで、外箱２１の側面の凸状の段押し部２４を設けることにより、外箱２１が略鉛直方向に湾曲するのを防止するよう剛性を向上することができ、変形して外箱２１が外側に湾曲し変形することがない。そのため、洗浄槽２０を引き出すとき、レール１９がスムーズに動き、食器洗浄機の品質を向上することができる。
【００２５】
また、外箱２１の剛性を確保するために厚くしていた外箱２１の板厚を薄くすることができ、食器洗浄機本体１８を軽量化することができる。このため、食器洗浄機をシステムキッチンに設置する場合の設置作業性を向上することができる。
【００２６】
また、洗浄槽２０を前方に引き出し、レール１９を介して外箱２１に大きな負荷が加わる場合でも、洗浄槽２０を保持するためのレール１９を外箱２１に直接固定することができる。
【００２７】
（実施例２）
図３および図４に示すように、食器洗浄機本体１８ａは、略Ｕ字形状の外箱２１ａと前面上部の梁２２ａと後面上部の梁２３ａとで略直方体状に形成し、外箱２１ａの天面は開口している。外箱２１ａのコーナー部に、略Ｌ字状の補強部２６を設け、略鉛直方向に湾曲するのを防止するよう剛性を高くしている。他の構成は上記実施例１と同じである。
【００２８】
上記構成において動作を説明する。なお、洗浄、すすぎ、乾燥の基本的な動作は上記実施例１の動作と同じであるので説明を省略する。
【００２９】
食器洗浄機本体１８ａをシステムキッチンに設置する場合は、一般的に４５０ｍｍ、または６００ｍｍと決まったモジュールがあり、その外形寸法が決まっている。したがって、その決まった寸法内で、できるだけ洗浄槽２０の容積をできるだけ大きく取ることができれば、一度に多くの食器を洗浄でき、使い勝手がよい食器洗浄機を提供できる。
【００３０】
洗浄槽２０を略水平方向に引き出すタイプの場合、レール１９を洗浄槽２０と外箱２１ａとの間に設けるため、できるだけ外箱２１ａの側面はフラットな形状の方が洗浄槽２０を大きくできる。このため、外箱２１ａのコーナー部に、略Ｌ字状の補強部２６を設け、略鉛直方向に湾曲するのを防止するよう剛性を高くすることで、外箱２１ａの内寸法が大きくとれ、洗浄槽２０を大きくすることができる。
【００３１】
なお、本実施例では、外箱２１ａのコーナー部に、略Ｌ字状の補強部２６を設けているが、補強部２６は略三角形状であってもよく、同様の作用効果を得ることができる。
【００３２】
（実施例３）
図５および図６に示すように、食器洗浄機本体１８ｂは、略Ｕ字形状の外箱２１ｂと前面上部の梁２２ｂと後面上部の梁２３ｂとで略直方体状に形成し、外箱２１ｂの天面は開口している。外箱２１ｂの側面に、略鉛直方向に補強部材２７を１個以上取り付け、略鉛直方向に湾曲するのを防止するよう剛性を高くし、レール１９ｂを補強部材２７に取り付けている。他の構成は上記実施例１と同じである。
【００３３】
上記構成において動作を説明する。なお、洗浄、すすぎ、乾燥の基本的な動作は上記実施例１の動作と同じであるので説明を省略する。
【００３４】
外箱２１ｂの側面に、略鉛直方向に補強部材２７を取り付けているので、外箱２１ｂの側面は平面形状で、外観上美しく構成でき、かつ外箱２１ｂの剛性を向上することができる。またレール１９ｂは外箱２１ｂに固定した補強部材２７に取り付けているため、洗浄槽２０を引き出して加重が加わった状態でも堅牢にレール１９ａを保持でき、レール１９を簡単に取り付けることができる。
【００３５】
【発明の効果】
以上のように本発明の請求項１に記載の発明によれば、前方に開口部を有する食器洗浄機本体と、前記開口部から略水平方向に引き出し可能に支持された食器を収納する洗浄槽と、前記洗浄槽内に回転自在に取り付けた洗浄ノズルと、前記洗浄槽の開口部を閉塞する蓋体とを備え、前記食器洗浄機本体は略Ｕ字形状の外箱と前面上部の梁と後面上部の梁とで略直方体状に形成し、前記外箱のコーナー部に略三角形状または略Ｌ字状の補強部を設けるとともに、前記外箱の側面に、略鉛直方向に略長方形状の凸部を設け、前記外箱の側面に固定したレールを介して前記洗浄槽を支持したから、食器洗浄機本体を構成する外箱の剛性を向上することができて、運送時に落下衝撃などの大きな衝撃が加わった場合でも外箱の側面が略鉛直方向に湾曲するのを防止でき、信頼性を向上することができ、かつ、外箱の板厚を薄くできて軽量化することができ、コストを低減できるとともに施工時の設置性を向上することができる。
【００３６】
また、外箱の側面に、略鉛直方向に略長方形状の凸部を設けたから、略長方形状の凸部により食器洗浄機本体を構成する外箱の剛性を向上することができて、運送時に落下衝撃などの大きな衝撃が加わった場合でも外箱の側面が略鉛直方向に湾曲するのを防止でき、外箱の剛性を確保するための部品点数を削減できてコストを低減できるとともに、施工時の設置性を向上することができる。
【００３７】
また、外箱のコーナー部に、略三角形状または略Ｌ字状の補強部を設けたから、略三角形状または略Ｌ字状の補強部により食器洗浄機本体を構成する外箱の剛性を向上することができて、運送時に落下衝撃などの大きな衝撃が加わった場合でも外箱の側面が略鉛直方向に湾曲するのを防止でき、また、外箱の内側への出っ張りがなく、外箱内に構成される洗浄槽の有効面積を大きくとることができる。
【００３８】
また、外箱の側面に、洗浄槽を略水平方向に引き出し可能なレールを固定したから、洗浄槽を引き出す仕様の食器洗浄機では、洗浄槽が重たく、引き出す場合のレールを固定する部位には大きな負荷がかかる。食器洗浄機本体を支える略Ｕ字状の外箱の側面に凸形状を設けたり、コーナー部に略三角形状の部材を取り付けたり、略鉛直方向に補強部材を取り付けることにより、剛性を高くすることができて、レールを保持することができ、レールを保持するための部品を必要とせず、コストを低減することができる。
【図面の簡単な説明】
【図１】  本発明の第１の実施例の食器洗浄機の縦断面図
【図２】  同食器洗浄機の要部斜視図
【図３】  本発明の第２の実施例の食器洗浄機の縦断面図
【図４】  同食器洗浄機の要部斜視図
【図５】  本発明の第３の実施例の食器洗浄機の縦断面図
【図６】  同食器洗浄機の要部斜視図
【図７】  従来の食器洗浄機の縦断面図
【図８】  従来の食器洗浄機の要部斜視図
【符号の説明】
８    食器
１２  洗浄ノズル
１８  食器洗浄機本体
２０  洗浄槽
２１  外箱
２５  蓋体
【図１】
0003661625.tif 000002
【図２】
0003661625.tif 000003
【図３】
0003661625.tif 000004
【図４】
0003661625.tif 000005
【図５】
0003661625.tif 000006
【図６】
0003661625.tif 000007
【図７】
0003661625.tif 000008
【図８】
0003661625.tif 000009